(57)【要約】【課題】雨水の浸透による雨漏りを防止すると共に、取り付けが簡単にできる片流れ屋根用棟部屋根材取付構造を提供する【解決手段】屋根下地材５３の上に接続部材３を介してベース部材２を取り付け、基板２１と天板２３との間の間隙２４に屋根材５１を挿入し、天板２３の操作穴２５からドライバーを挿入して、ビス６２で屋根材５１を基板２１に固定した後、カバー部材４をベース部材２の上から被せ、両者をビス６３で固定する。屋根材５１の上面に沿って吹き上げてくる雨水は水切り板４４で防ぎ、更に、屋根材５１の上端に張り付けた防水シールテープ５７で遮断する。【選択図】図６
0003216977.tif 000002
【実用新案登録請求の範囲】
【請求項１】
横に細長い長方形をした垂直板、該垂直板の上端を屈曲して片流れ屋根の傾斜角度に対応
する傾斜角度を有するように延伸して設けられた天板及び上記垂直板の下端を上記天板と
同じ方向に屈曲して上記天板と同じ傾斜角度を有するように延伸して設けられた基板より
なる金属製のベース部材、横に細長い長方形をした係止板及び該係止板の上端を屈曲して
片流れ屋根の傾斜角度に対応する傾斜角度を有するように延伸して設けられた接続板より
なる金属製の接続部材、及び、横に細長い長方形をした外側板、該外則板の上端を屈曲し
て片流れ屋根の傾斜角度に対応する傾斜角度を有するように延伸して設けられたカバー板
、該カバー板の先端を下方に屈曲して延伸して設けられた遮蔽板及び該遮蔽板の下端を外
側に屈曲して延伸して設けられた水切り板よりなる金属製のカバー部材を備え、上記ベー
ス部材を上記接続部材を介して、片流れ屋根の屋根下地材に固着されるように構成されて
いると共に、上記カバー部材を上記ベース部材の上方から着脱自在に被せて固定できるよ
うに構成されていることを特徴とする片流れ屋根用棟部屋根材取付構造。
【請求項２】
上記ベース部材の天板の先端を下方に屈曲して延伸して設けた折曲片を備えたことを特徴
とする請求項１に記載の片流れ屋根用棟部屋根材取付構造。
【請求項３】
上記カバー部材の水切り板の下面は挿入される屋根材の上面と面接触されるように構成さ
れていることを特徴とする請求項１に記載の片流れ屋根用棟部屋根材取付構造。
【請求項４】
上記ベース部材の基板と天板との間に挿入される屋根材と上記天板との間に防水材を挿入
したり、防水コートを施工するための間隙を設けたことを特徴とする請求項１に記載の片
流れ屋根用棟部屋根材取付構造。
【請求項５】
上記ベース部材の天板には、上記基板と上記天板との間に挿入される屋根材を上記基板に
螺着するための螺子と螺子回し器具を挿入するための操作穴を設けたことを特徴とする請
求項１に記載の片流れ屋根用棟部屋根材取付構造。
【請求項６】
上記カバー部材の外側板の下端を内方に屈曲して、上記接続部材の係止板の下端に係合す
るための係止部を設けたことを特徴とする請求項１に記載の片流れ屋根用棟部屋根材取付
構造。
【請求項７】
上記ベース部材と上記接続部材とは施工前に予め、上記ベース部材の基板と上記接続部材
の接続板とが対面して接触した状態で一体的に結合されていることを特徴とする請求項１
に記載の片流れ屋根用棟部屋根材取付構造。
【考案の詳細な説明】
【技術分野】
【０００１】
本考案は、片流れ屋根において、化粧スレート板や金属板等の屋根材を屋根下地材に取り
付ける際に、屋根材の端部を固定するための棟部屋根材取付構造に関する。
【背景技術】
【０００２】
従来、化粧スレート板や金属板等の屋根材の棟端部固定部材としては、屋根材を葺き上げ
たのちに、棟部分に貫板を張りその上に金属製の役物を被せているものが多用されている
（例えば、特許第２７４７１８２号公報参照）。
【先行技術文献】
【特許文献】
【０００３】
【特許文献１】特許第２７４７１８２号公報
【考案の概要】
【考案が解決しようとする課題】
【０００４】
上記の特許文献１の特許第２７４７１８２号公報記載の屋根パネル棟部構造では、図８に
示すように、野地板５上面に受桟７を載せその上に防水シート６、棟包２１を敷設し、棟
包２１の上から釘２２で、受桟７を野地板５に固定している。このように金属製の棟包２
１をその上から釘２２を刺して通常木製の受桟７に固定しているので、釘２２の穴から染
みこんだ雨水によって、木製の受桟は約１０年位で腐食してしまうという問題があった。
【０００５】
本考案者等は、上記の欠点を改良し、雨水の浸透による雨漏りを防止すると共に、構造が
簡単で製作費が安価で、取り付けが簡単にできる片流れ屋根用棟部屋根材取付構造を提供
することを目的とする。
【課題を解決するための手段】
【０００６】
本考案の片流れ屋根用棟部屋根材取付構造は、横に細長い長方形をした垂直板、該垂直板
の上端を屈曲して片流れ屋根の傾斜角度に対応する傾斜角度を有するように延伸して設け
られた天板及び上記垂直板の下端を上記天板と同じ方向に屈曲して上記天板と同じ傾斜角
度を有するように延伸して設けられた基板よりなる金属製のベース部材、横に細長い長方
形をした係止板及び該係止板の上端を屈曲して片流れ屋根の傾斜角度に対応する傾斜角度
を有するように延伸して設けられた接続板よりなる金属製の接続部材、及び、横に細長い
長方形をした外側板、該外則板の上端を屈曲して片流れ屋根の傾斜角度に対応する傾斜角
度を有するように延伸して設けられたカバー板、該カバー板の先端を下方に屈曲して延伸
して設けられた遮蔽板及び該遮蔽板の下端を外側に屈曲して延伸して設けた水切り板より
なる金属製のカバー部材を備え、上記ベース部材を上記接続部材を介して、片流れ屋根の
屋根下地材に固着されるように構成されていると共に、上記カバー部材を上記ベース部材
の上方から着脱自在に被せて固定できるように構成されている。
【０００７】
上記ベース部材の天板の先端は下方に屈曲して延伸した折曲片を備えることにより、天板
の強度を補強している。
【０００８】
上記ベース部材の基板と天板との間に挿入される屋根材と上記天板との間に防水材を挿入
したり、屋根材と屋根下地材との間の防水効果を高めるための防水コートを設けるための
間隙を設けている。そのために、上記天板の先端に設けた折曲片の長さは、折曲片の下端
と基板との間に形成される間隙が防水材を接着した屋根材を挿入でき、また、その間隙か
ら防水コートが施工できるる長さが確保できるように設定する必要がある。
【０００９】
上記ベース部材の天板には、上記基板と上記天板との間に挿入される屋根材を上記基板に
螺着するための螺子と螺子回し器具を挿入するための操作穴が複数個設けられている。
【００１０】
上記カバー部材の外側板の下端には、それを内方に屈曲して、上記接続部材の係止板の下
端に係合するための係止部が設けられている。カバー部材は上記ベース部材の上から被せ
て、この係止部を接続部材の係止板の下端に係合した後、若干回転させてカバー部材のカ
バー板の下面がベース部材の天板の上面に接するまで嵌め込み、最終的には、カバー部材
をベース部材にビス留めして固定する。
【００１１】
上記ベース部材と上記接続部材とは施工前に予め、上記ベース部材の基板と上記接続部材
の接続板とが対面して接触して一体的に結合した状態で保管し、この結合した状態で屋根
下地材に取り付ける。ベース部材の基板と接続部材の接続板との結合は粘着テープ、溶接
、ビス留め等任意の方法で行うことができる。
【考案の効果】
【００１２】
本考案の片流れ屋根用棟部屋根材取付構造は横に細長い長方形をした垂直板、該垂直板の
上端を屈曲して片流れ屋根の傾斜角度に対応する傾斜角度を有するように延伸して設けら
れた天板及び上記垂直板の下端を上記天板と同じ方向に屈曲して上記天板と同じ傾斜角度
を有するように延伸して設けられた基板よりなる金属製のベース部材、横に細長い長方形
をした係止板及び該係止板の上端を屈曲して片流れ屋根の傾斜角度に対応する傾斜角度を
有するように延伸して設けられた接続板よりなる金属製の接続部材、及び、横に細長い長
方形をした外側板、該外側板の上端を屈曲して片流れ屋根の傾斜角度に対応する傾斜角度
を有するように延伸して設けられたカバー板、該カバー板の先端を下方に屈曲して延伸し
て設けられた遮蔽板及び該遮蔽板の下端を外側に屈曲して延伸して設けられた水切り板よ
りなる金属製のカバー部材を備えているので、上記ベース部材を上記接続部材を介して、
片流れ屋根の屋根下地材に取り付けた後、基板と天板の間に屋根材を挿入して、棟部にお
ける屋根材の末端処理を行ったあとで、カバー部材をベース部材の上から被せているので
、ベース部材を屋根下地材に取り付けたときに生じる釘やビスの穴から雨水が侵入するこ
とを防止するとともに、耐久性の高い片流れ屋根用棟部屋根材取付構造を提供することが
できる。 
【００１３】
金属製のベース部材と金属製の接続部材は別の部品として製作されているので、各部品ご
との形態は単純な形状となり、板金加工の手間が単純化され、加工能率が高くなり、製造
費を安くすることができる。
【００１４】
本考案の片流れ屋根用棟部屋根材取付構造はベース部材の基板と天板との間に挿入され
る屋根材と天板との間に防水材を挿入できる間隙を設けたので、この間隙に挿入された屋
根材先端にテープ状の防水材を張り付けると、この間隙から侵入してくる雨水を遮断して
屋根材と屋根下地材との隙間に雨水がしみこむことを防止できる。
【００１５】
また、ベース部材の基板と天板との間の間隙は、屋根材と屋根下地材との間の隙間を埋め
るための防水コートを施工するための材料や器具を挿入する作業用の間隙として使用する
ことができる。その結果、屋根材と屋根下地材との間の防水効果をより一層高めることが
できる。
【００１６】
上記カバー部材はその先端に、挿入された屋根材の上面に面接触する水切り板を備えてい
るので、屋根材の上面を伝って吹き上げられてくる雨水がベース部材内に侵入することを
防止することができる。
【００１７】
上記ベース部材の天板には、基板と天板との間に挿入される屋根材を基板に螺着するため
の螺子と螺子回し器具を挿入するための操作穴が設けられているので、ベース部材の内部
に挿入された屋根材の先端部部分を基板にビス止めすることができ、屋根材を強固に取り
付けることができる。
【００１８】
上記カバー部材の外側板には係止部が設けられているので、これを接続部材の係止板の下
端に係合し、接続部材と一体になっているベース部材にカバー部材を被せる操作を容易に
することができる。
【図面の簡単な説明】
【００１９】
【図１】本考案の一実施例におけるベース部材と接続部材を一体にしたものの斜面図。
【図２】本考案の一実施例におけるカバー部材の斜面図。
【図３】ベース部材の正面図。
【図４】接続部材の正面図。
【図５】カバー部材の正面図。
【図６】本考案の片流れ屋根用棟部屋根材取付構造の一例をを示す説明断面図。
【図７】本考案の片流れ屋根用棟部屋根材取付構造の他の例をを示す説明断面図。
【図８】従来の隅棟部構造の組み立て完了状態を示す縦断面図。
【考案を実施するための最良の形態】
【００２０】
本考案を実施するための最良の形態を実施例によって説明する。
【実施例１】
【００２１】
図１は本考案の一実施例におけるベース部材と接続部材を一体にしたものの斜面図であっ
て、ベース部材２は図３に示すように、金属製の長方形の板金より成る垂直板２２の上端
を片流れ屋根の傾斜角度と同じ傾斜角度になるように折り曲げて天板２３を形成する。天
板２３の自由端は下方に折り曲げて折曲片２６を形成する。この接曲片２６は天板２３の
剛性を高めるために設けるものである。次に、垂直板２２の下端を天板２３と同じ方向に
片流れ屋根の傾斜角度と同じ傾斜角度になるように折り曲げて基板２１を形成する。天板
２３には電動ドライバーを挿入するための操作穴２５を数個設ける。
【００２２】
図４は接続部材３の正面図であって、係止板３１の上端を屈曲して片流れ屋根の傾斜角度
に対応する傾斜角度を有するように延伸して接続板３２が形成されている。この接続部材
３は図１に示すように屋根下地材に取り付けられる前に予め、ベース部材２の基板２１と
接続部材３の接続板３２とが対面して接触した状態で一体的に結合されている。
【００２３】
図２はカバー部材４の斜視図、図５はカバー部材４の正面図であって、カバー部材４は、
横に細長い長方形をした金属製の外側板４２を板金加工によって、その上端を屈曲して片
流れ屋根の傾斜角度に対応する傾斜角度を有するように延伸して設けたカバー板４１、カ
バー板４１の先端を下方に屈曲して延伸して設けた遮蔽板４３及び遮蔽板４３の下端を外
側に屈曲して延伸して設けた水切り板４４より形成されている。４５は、外側板４２の下
端に設けた係止片である。
【００２４】
図６は、本考案の片流れ屋根用棟部屋根材取付構造を示す説明断面図であって、破風板５
５、垂木５４上に張り付けられた木製の屋根下地材５３の棟部に、ベース部材２と接続部
材３を一体にしたものを釘６１で固定する。ベース部材２の間隙２４に、防水シールテー
プ５７を張り付けたスレート製の屋根材５１を挿入し、ベース部材２の天板２３に開けら
れた操作穴２５から板金用のビス６２とそれを回す電動ドライバーの先端を挿入して、屋
根材５１の先端にビス６２を打ち込み、その下の基板２１、接続板３２にねじ止めする。
なお、防水シールテープとしては、防水ブチルゴムテープなどが用いられる。
【００２５】
次に、カバー部材４の外側板４２の下端の係止片４５を接続部材３の係止板３１の下端に
引っかけた状態で、カバー部材４を回動してベース部材２の天板２３の上から被せる。そ
して、カバー部材４の水切り板４４の下面が屋根材５１の表面に接する位置まで回動させ
る。水切り板４４の下面が完全に屋根材５１の表面に接触したら、ビス６３によって、カ
バー部材４をベース部材２に固定する。
【実施例２】
【００２６】
図７は、片流れ屋根用棟部屋根材取付構造の他の例をを示す説明断面図であって、屋根下
地材５３に接続部材３及びベース部材４を取り付けた後で、屋根材５１をベース部材２の
間隙２４に挿入して、操作穴２５からビス６２とそれを操作する電動ドライバーを差し込
んで、屋根材５１を基板２１及び接続板３２にビス留めする。次に、間隙２４から防水シ
ール材５８を注入する器具を挿入して、ビス６２の穴や屋根材５１と基板２１との隙間を
完全にふさぐ。防水シール剤とては、ポリイソシアネートと硬化剤からなるポリウレタン
系エラステマーが用いられる。その後で、カバー部材４を前記の方法でベース部材２の上
に被せて、ビス６３でビス止めする。
【符号の説明】
【００２７】
１  屋根材固定用棟部取付部材
２   ベース部材
２１  基板
２２  垂直板
２３  天板
２４  間隙
２５  操作穴
２  接続部材
３１  係止板
３２  接続板
４  カバー部材
４１  カバー板
３２  外側板
４３  遮蔽板
４４  水切り板
４５  係止片
５１  屋根材
５３  屋根下地材
５４  垂木
５５  破風板
５７  防水シールテープ
５８  防水シール剤
【図１】
0003216977.tif 000003
【図２】
0003216977.tif 000004
【図３】
0003216977.tif 000005
【図４】
0003216977.tif 000006
【図５】
0003216977.tif 000007
【図６】
0003216977.tif 000008
【図７】
0003216977.tif 000009
【図８】
0003216977.tif 000010